(57)【要約】【課題】ばらつきが少なく確実に扉を閉止することができ、部品点数が少なく簡単な構造で安価で、特に板ばねが簡単な構造で安価であり、万一故障した場合にも扉本体を交換することなく、扉閉鎖装置の交換のみで対応することのできる扉閉鎖装置を備えた冷蔵庫を提供すること。【解決手段】扉を支持する下ヒンジと、下ヒンジの軸に回動不能に嵌合されるカム、ばね部４２ａ，４２ｂの先端に位置する係合部４１ａ，４１ｂがカムを両側から押圧しカムの外周に沿って回動する板ばね４１、板ばね４１のばね部４２ａ，４２ｂに形成され、カムの外周に沿って回動する際に発生する、ばね部４２ａ，４２ｂの取付部４３側の端部付近の応力集中を抑制するくびれ部４７、ばね保持部材、ベース部材を含み、扉に取付けられて扉閉鎖時に板ばねの係合部がカムの凹溝内に位置し、板ばねにより扉を閉止方向に付勢するようにした扉閉鎖装置とを備えたことを特徴とする。【選択図】図４
2008075923.tif 000002
【特許請求の範囲】
【請求項１】
冷蔵庫本体に取付けられて扉を支持するヒンジと、
以下の要素を含み、
ａ）軸方向の対称位置に一対の凹溝が形成され前記ヒンジの軸に回動不能に嵌合されるカム；
ｂ）取付部から立設した一対のばね部の先端に位置する係合部が前記カムを両側から押圧し該カムの外周に沿って回動する板ばね；
ｃ）該板ばねの前記ばね部に形成され、前記カムの外周に沿って回動する際に発生する、該ばね部の前記取付部側の端部付近の応力集中を抑制する応力集中抑制部；
ｄ）該板ばねの前記取付部を保持し前記カムの一端を回動自在に支持するばね保持部材；
ｅ）前記カムの他端を回動自在に支持し前記ばね保持部材が取付けられるベース部材、
前記扉に取付けられて扉閉鎖時に前記板ばねの係合部が前記カムの凹溝内に位置し、該板ばねにより扉を閉止方向に付勢するようにした扉閉鎖装置と、
を備えたことを特徴とする冷蔵庫。
【発明の詳細な説明】
【技術分野】
【０００１】
この発明は、冷蔵庫に関するもので、詳しくは、扉を軸支するヒンジ部に取付られる、扉を容易かつ確実に閉止することができる扉閉鎖装置を備えた冷蔵庫に関する。
【背景技術】
【０００２】
従来の冷蔵庫の扉閉鎖装置に、扉本体の発泡断熱材内に扉閉止機構を内蔵したものがある。これは、ヒンジ軸に挿入された複数の凹部を有するカムと、コイルバネによりこのカムに圧接されるローラ等によって構成され、カムの凹溝にローラが係合した状態で扉が停止するようにしたものである。すなわち、圧縮されて付勢されたコイルバネにローラが押圧されながらカムの外周を回動し、扉閉止位置に相当する凹溝にかかると付勢されたバネ力が急激に解放されて、強制的に扉が閉鎖される。そして、コイルバネは閉鎖された扉にさらに閉方向の力を加えるようにしているので、他の扉を閉めたときの風圧による扉の開放を防止するようにしている（例えば、特許文献１参照）。
【特許文献１】実開昭５３−１６２９５１号公報（１−２頁、第３図）
【発明の開示】
【発明が解決しようとする課題】
【０００３】
特許文献１に記載された冷蔵庫の扉閉鎖装置は、開放された扉がカムの複数箇所に形成された凹溝の一つにコイルバネで付勢されたローラが係止して停止し、カムにローラを押圧させるために、収納部にコイルバネと一体に組込まれた箱状のケースが収納部の側壁に案内されて摺動するので、その摺動抵抗のために、カムへのローラの押圧力にばらつきが生じ易いという課題があった。
【０００４】
また、バネ力が強いと扉が急激に閉まり、閉鎖音が大きくなったり、逆にバネ力が弱いと扉が止まらず閉め忘れの状態で停止してしまったりする。このため、バネ力を調整する手段が必要となったり、カムにローラを押圧させるために、ピンでローラを係止する箱状のケースを必要とするなど、部品点数が多く複雑な構造でコスト的にも高価になる。
【０００５】
さらに、この扉閉鎖装置は、扉本体の発泡断熱材内に埋設されているため、万一故障した場合には扉本体を交換しなければならなかった。
【０００６】
この発明は、上記のような課題を解決するためになされたもので、ばらつきが少なく確実に扉を閉止することができ、その上部品点数が少なく簡単な構造で安価で、特に板ばねが簡単な構造で安価であり、万一故障した場合にも扉本体を交換することなく、扉閉鎖装置の交換のみで対応することのできる扉閉鎖装置を備えた冷蔵庫を提供することを目的とする。
【課題を解決するための手段】
【０００７】
この発明に係る冷蔵庫は、冷蔵庫本体に取付けられて扉を支持するヒンジと、
以下の要素を含み、
ａ）軸方向の対称位置に一対の凹溝が形成されヒンジの軸に回動不能に嵌合されるカム；
ｂ）取付部から立設した一対のばね部の先端に位置する係合部がカムを両側から押圧しカムの外周に沿って回動する板ばね；
ｃ）板ばねのばね部に形成され、カムの外周に沿って回動する際に発生する、ばね部の取付部側の端部付近の応力集中を抑制する応力集中抑制部；
ｄ）板ばねの取付部を保持しカムの一端を回動自在に支持するばね保持部材；
ｅ）カムの他端を回動自在に支持しばね保持部材が取付けられるベース部材、
扉に取付けられて扉閉鎖時に板ばねの係合部がカムの凹溝内に位置し、板ばねにより扉を閉止方向に付勢するようにした扉閉鎖装置とを備えたことを特徴とする。
【発明の効果】
【０００８】
この発明に係る冷蔵庫は、ばらつきが少なく確実に扉を閉止することができ、その上部品点数が少なく簡単な構造で安価で、特に板ばねが簡単な構造で安価であり、万一故障した場合にも扉本体を交換することなく、扉閉鎖装置の交換のみで対応することができる。
【発明を実施するための最良の形態】
【０００９】
実施の形態１．
図１乃至図１１は実施の形態１を示す図で、図１は冷蔵庫の斜視図、図２は図１の扉閉鎖装置３０と下ヒンジ２０等要部の構成を示す分解斜視図、図３は扉閉鎖装置３０の分解斜視図、図４は板ばね４１の斜視図、図５は扉閉鎖装置３０を組立てた状態を示す側面図及びそのＡ−Ａ断面図、図６は野菜室扉７の下キャップ７２に扉閉鎖装置３０を取付けた状態を示す上面図及びそのＢ−Ｂ断面図、図７乃至図９は扉閉鎖装置３０の作用説明図、図１０は扉閉鎖装置３０作動時の板ばね４１の内部発生応力及びバネ定数を解析した結果を示す図、図１１は同グラフである。
【００１０】
本実施の形態に係る冷蔵庫１００を構成する冷蔵庫本体１は、それぞれ前面を開口して、上部に冷蔵室、その下に並設された製氷室と温度帯切替室、最下部左側に冷凍室、右側に野菜室が区画形成されている。各室の前面開口は開閉自在な各扉で閉塞されている。図１に示すように、冷蔵室は冷蔵室左扉２、冷蔵室右扉３、製氷室は製氷室扉４、温度帯切替室は温度帯切替室扉５、冷凍室は冷凍室扉６、野菜室は冷蔵庫本体１に取付けたヒンジに開閉自在に支持された野菜室扉７で開閉自在に閉塞されている。この野菜室扉７は、上キャップ７１、下キャップ７２、外板７３、内板７４及びこれらで囲繞された空間内に注入発泡された断熱材（図示せず）等によって構成され、内板７４側の周縁にはマグネットガスケット７５が装着されている。なお、下キャップ７２の縁部には外板７３が挿入される溝部７２ａ（図２参照）が設けられており、また、後述の下ヒンジ２０に対応する位置には、断熱材側を凹陥して形成され下部が開口されて後述の扉閉鎖装置３０が挿入されて収容される収容部７２ｂが一体に形成されている。
【００１１】
図２に示すように、下ヒンジ２０は冷蔵庫本体１の下部に固定され、上ヒンジ（図示せず）とにより野菜室扉７を開閉自在に支持する。この下ヒンジ２０は、複数のねじ挿通穴２１ａを有し冷蔵庫本体１に固定される垂直片２１と、その一部に設けられた水平片２２とによりほぼＬ字状に形成されており、水平片２２には野菜室扉７が最大開放位置で、後述のストッパー６０の係止突部６３が当接する係止段部２３が設けられており、また、カシメなどにより一体に取付けられて野菜室扉７を枢支する軸２４が立設され、この軸２４の軸方向には、後述のカム３１が回動不能に嵌合するための溝２５が設けられている。
【００１２】
図３に示すように、扉閉鎖装置３０において、カム３１は例えば合成樹脂からなり、大径部３２ａと、その上下に設けた上小径部３２ｂ、下小径部３２ｃとを有して筒状に形成され、軸方向の対称位置には、両側縁部が傾斜面３３ｃに形成された凹溝３３ａ，３３ｂが設けられており、また、内壁には下ヒンジ２０の軸２４に設けた溝２５に係止する突部３４（図５参照）が設けられて、下ヒンジ２０の軸２４に回動不能に嵌合される。
【００１３】
図４に示すように、板ばね４１は板状のばね材を折曲げて形成され、両端部が外方に折曲げられてＲ付けされ、カム３１の凹溝３３ａ、凹溝３３ｂに係合する係合部４１ａ、係合部４１ｂが形成されたほぼΩ字状である。また、板ばね４１の開口部４５の反対側には、ねじ挿通穴４４ａ、ねじ挿通穴４４ｂ（ねじ挿通穴４４ｂは図示せず）を有する取付部４３が、設けられている。また、係合部４１ａ、係合部４１ｂと取付部４３との間の部分は、ばね部４２ａ、ばね部４２ｂになっている。ばね部４２ａ、ばね部４２ｂの夫々の両側部には、扉閉鎖装置３０作動時に発生するばね部４２ａ、ばね部４２ｂの取付部４３側端部付近の応力集中を抑制するくびれ部４７（応力集中抑制部の一例）が形成されている。くびれ部４７は、例えば円弧形状であるが、滑らかな曲線であれば円弧に限らない。また、くびれ部４７以外の、ばね部４２ａ、ばね部４２ｂの剛性を小さくし、ばね部４２ａ、ばね部４２ｂの取付部４３側端部付近の応力集中を抑制するものであれば、どのようなものでもよい。例えば、ばね部４２ａ、ばね部４２ｂの所定の部位に開口部を設ける等の方法もある。図４に示す寸法Ａ、Ｂ、Ｃは、一例では、Ａ＝１〜１．７ｍｍ、Ｂ＝１１．５ｍｍ、Ｃ＝２８ｍｍである。本実施の形態は、上記のようにこの板ばね４１に特徴があり、一枚の板状のばね材で構成される板ばね４１でも、ばね部４２ａ、ばね部４２ｂにくびれ部４７を設けることにより、扉閉鎖装置３０作動時に発生するばね部４２ａ、ばね部４２ｂの取付部４３側端部付近の応力集中を抑制することができ、疲労破壊を防止できる。
【００１４】
ばね保持部材５０は、垂直片５１ａとその上下に互いに反対方向に延設された上水平片５１ｂと下水平片５１ｃとによって、ほぼＳ字状に形成され、上水平片５１ｂにはカム３１の上小径部３２ｂが回動自在に嵌入して支持される軸受穴５２が設けられており、垂直片５１ａには板ばね４１の取付部４３のねじ挿通穴４４ａ、ねじ挿通穴４４ｂに対応してねじ穴５３ａ、ねじ穴５３ｂが設けられている。また、下水平片５１ｃの垂直片５１ａ側とその反対側にはねじ挿通穴５３ｃ、ねじ挿通穴５３ｄ（５３ｄは図示せず）及びねじ挿通穴５３ｅが設けられている。
【００１５】
ベース部材５５は、周壁５６を有する断面コ字状で、カム３１の下小径部３２ｃが回動自在に嵌入する軸受穴５７、ねじ挿通穴５８ａ、ねじ挿通穴５８ｂ、ねじ挿通穴５８ｃが設けられており、下面には位置決め突部５９（図２、図５参照）が突設されている。
【００１６】
図２に示すように、ストッパー６０は例えば鋼板製で、カム３１の下小径部３２ｃが挿入される軸受穴６１、ベース部材５５の位置決め突部５９に嵌合する位置決め穴６２ａ、及びねじ挿通穴６２ｂが設けられており、一方の側縁部は下方に折曲げられて、その一端に野菜室扉７を開放したときに、下ヒンジ２０の係止段部２３に当接する係止突部６３が設けられている。
【００１７】
補強板６５は、底部とその両側に立設された垂直部とからなり、断熱材に埋設されたほぼコ字状で、底部にはねじ穴６６が設けられている。
【００１８】
次に、上記のように構成した扉閉鎖装置３０の組立手順、野菜室扉７への取付手順の一例について、図３及び図５を参照しながら説明する。先ず、板ばね４１の取付部４３をばね保持部材５０の垂直片５１ａに当接し、取付部４３のねじ挿通穴４４ａ、ねじ挿通穴４４ｂに挿入したねじ８０を垂直片５１ａのねじ穴５３ａ、ねじ穴５３ｂに螺入し、一体に固定する。
【００１９】
次に、板ばね４１の係合部４１ａ、係合部４１ｂにカム３１の凹溝３３ａ、凹溝３３ｂを係合させると共に、ばね保持部材５０の上水平片５１ｂの軸受穴５２にカム３１の上小径部３２ｂを嵌合させる。ついで、ばね保持部材５０の下水平片５１ｃをベース部材５５の周壁５６内に嵌合させ、軸受穴５７にカム３１の下小径部３２ｃを挿入する。なお、カム３１と板ばね４１の係合部４１ａ、係合部４１ｂとの間には、摺動時の摩擦抵抗を軽減するために、潤滑油が塗布される。そして、ベース部材５５のねじ挿通穴５８ａ、ねじ挿通穴５８ｂに挿通したねじ８１を、ばね保持部材５０の下水平片５１ｃに設けたねじ穴５３ｃ、ねじ穴５３ｄに螺入し、一体に固定する。これにより扉閉鎖装置３０の組立が完了する。このときの状態を図５に示す。
【００２０】
この扉閉鎖装置３０を野菜室扉７に取付けるにあたっては、図６に示すように、野菜室扉７の下キャップ７２に断熱材側を凹陥して設けた収容部７２ｂに、下部開口部から扉閉鎖装置３０を挿入する。そして、ベース部材５５の下面にストッパー６０を当接してその軸受穴６１をカム３１の下小径部３２ｃに嵌合すると共に、位置決め穴６２ａをベース部材５５の下面に設けた位置決め突部５９に嵌合する。また、収容部７２ｂの上面に補強板６５を当接する。
【００２１】
そして、ストッパー６０、ベース部材５５、ばね保持部材５０及び収容部７２ｂのねじ挿通穴６１ｂ、ねじ挿通穴５８ｃ、ねじ挿通穴５３ｅに挿通したねじ８２を補強板６５の底部に設けたねじ穴６６に螺入し、これらを一体に固定する。これにより、扉閉鎖装置３０の野菜室扉７への取付けが完了する。
【００２２】
扉閉鎖装置３０が取付けられた野菜室扉７を野菜室の開口部に取付けるにあたっては、野菜室の上縁部において冷蔵庫本体１に取付けられた上ヒンジ（図示せず）に、野菜室扉７の上キャップ７１に設けた軸受穴（図示せず）を嵌入し、また、扉閉鎖装置３０のカム３１に軸２４を挿入した下ヒンジ２０の垂直片２１を、野菜室の下縁部において冷蔵庫本体１にねじで固定すれば、野菜室扉７は冷蔵庫本体１に、上下のヒンジにより開閉自在に支持される。
【００２３】
下ヒンジ２０を冷蔵庫本体１に先に取付けておく場合には、板ばね４１の係合部４１ａ、係合部４１ｂが、図５に示すようなカム３１の凹溝３３ａ、凹溝３３ｂに係合した状態ではなく、大径部３２ａ上に位置するようにあらかじめカム３１を回転（例えば、図５でカム３１を右方向に約９０°回転）させ、野菜室扉７が開放された状態にしておけばよい。
【００２４】
次に、上記のように構成した扉閉鎖装置３０の作用について説明する。上ヒンジと下ヒンジ２０とにより開閉自在に支持された野菜室扉７は、野菜室の閉止状態においては、図７に示すように、板ばね４１の係合部４１ａ、係合部４１ｂはカム３１の凹溝３３ａ、凹溝３３ｂに嵌合している。このとき、下ヒンジ２０の水平片２２に立設された軸２４の取付角度は、実線で示すように、野菜室扉７が野菜室の前縁に対してθ°（例えば、８°）閉方向になるように設定されている。
【００２５】
すなわち、カム３１は冷蔵庫本体１に固定された下ヒンジ２０の軸２４に回動不能に嵌合されているため、板ばね４１の係合部４１ａ、係合部４１ｂはカム３１の凹溝３３ａ、凹溝３３ｂの最深部に達せず、最深部より僅かに手前の傾斜面上に位置している。このため、板ばね４１は僅かに付勢されて野菜室扉７を閉止方向に押圧し、破線で示すように位置して野菜室の開口部を閉鎖する。
【００２６】
野菜室扉７を開くと、図８に示すように、板ばね４１の係合部４１ａ、係合部４１ｂはカム３１の凹溝３３ａ、凹溝３３ｂの傾斜面に沿って摺動しつつ移動し、板ばね４１は徐々に付勢されて外周面（大径部３２ａ）に至ると最大になる。
【００２７】
さらに野菜室扉７を開放すると、図９に示すように、下キャップ７２に取付けられたストッパー６０の係止突部６３が下ヒンジ２０の係止段部２３に当接し、野菜室扉７は最大限に開放されて停止する。この状態においても、板ばね４１の係合部４１ａ、係合部４１ｂはカム３１の凹溝３３ａ、凹溝３３ｂに嵌合しないように、換言すれば、板ばね４１はカム３１の大径部３２ａ上に位置して付勢されているが、係合部４１ａ、係合部４１ｂは軸に対して対称的に位置しているため回動力は生じないので、野菜室扉７はその位置に保持される。
【００２８】
このようにして開放された野菜室扉７を閉じる場合は、野菜室扉７に閉鎖方向の力を加えると、板ばね４１は最大限に付勢された状態のまま係合部４１ａ、係合部４１ｂがカム３１の大径部３２ａ上をスムーズに摺動する。そして係合部４１ａ、係合部４１ｂが凹溝３３ａ、凹溝３３ｂの両側縁部の傾斜面３３ｃにかかると付勢された押圧力が回動力となるため、力を加えなくても野菜室扉７は急激かつ自動的に野菜室の開口部を閉鎖し、図６の状態に戻る。
【００２９】
ところで、上記のような本実施の形態において、野菜室扉７を回動すると、板ばね４１の係合部４１ａ、係合部４１ｂの上下の端面エッジ部がカム３１の大径部３２ａに接触し、大径部３２ａが損傷したり磨耗したりして、野菜室扉７を開閉するときにこじれ音などを発生することが考えられる。
【００３０】
このような課題が発生するのを回避するために、板ばね４１の係合部４１ａ、係合部４１ｂの上下の端面エッジ部を、バレル処理あるいは面打ちなどによってだらせば、カム３１の大径部３２ａの損傷や磨耗を防止することができる。
【００３１】
本実施の形態に係る扉閉鎖装置３０によれば、この扉閉鎖装置３０が組込まれた扉は、開放された状態からこれに加える力が弱くても、所定の開放位置に達すると開口部を自動的に閉鎖することができ、途中で停止することはなく確実に閉鎖することができる。
【００３２】
また、板ばね４１が直接カム３１を挟持することによりばねが付勢されるので、組立て時のばらつきによる押圧力（付勢力）のばらつきがなく、所定のばね力を直接扉閉鎖力に変換することができる。
【００３３】
また、扉の閉鎖力を大きくする、すなわち、板ばね４１の付勢力を大きくするためには、カム３１の凹溝３３ａ、凹溝３３ｂを深くして落差を大きくしたり、あるいは板ばね４１の高さ寸法を高くしたり板厚を厚くすることが考えられるが、このようにすると扉に組込むために大きなスペースを必要とするばかりでなく、加工性が悪くなる。
【００３４】
さらに、カム３１が板ばね４１を直接付勢するという簡単な構造なので、部品点数が少なく動作も円滑であり、安価な扉閉鎖装置３０を得ることができる。
【００３５】
また、本実施の形態に係る扉閉鎖装置３０においては、扉が最大開放位置に達しても板ばね４１の係合部４１ａ、係合部４１ｂがカム３１の凹溝３３ａ、凹溝３３ｂに係合することのないように、下ヒンジ２０に設けた係止段部２３とストッパー６０に設けた係止突部６３とにより最大開放位置を規制しているので、扉が最大角度まで開放されていても、扉を閉じるときに大きな力を必要としない。
【００３６】
また、この扉閉鎖装置３０は、扉のキャップに設けた収容部７２ｂに収容するようにしているため、断熱材を発泡する前後どちらでも組込むことができるので、工作性がよい。
【００３７】
さらに、扉閉鎖装置３０は、キャップにより発泡断熱材から遮蔽されているため、万一故障しても扉を交換することなく扉閉鎖装置３０だけを容易に交換できるので、サービス性にすぐれた冷蔵庫を得ることができる。
【００３８】
また、この扉閉鎖装置３０は、カム３１の上下の上小径部３２ｂ、下小径部３２ｃをばね保持部材５０とベース部材５５の軸受穴５２、軸受穴５７に回動自在に嵌入して保持しているので、扉本体又はキャップに組込む前にカム３１を回転させても、板ばね４１の押圧力によってカム３１が外れることはない。このため、両者間の磨耗を軽減するために潤滑油を塗布する作業は、カム３１又は板ばね４１にあらかじめ塗布しておく必要がなく、組立てた後にカム３１を回転させて潤滑油を塗布することができるので、組立ての際に手や部品を汚すことなく作業することができる。
【００３９】
板ばね４１のばね部４２ａ、ばね部４２ｂにくびれ部４７を形成する効果を、解析により検証した。図１０、図１１は、図４に示す大きさの、円弧状のくびれ部４７を有する板ばね４１について、Ａ寸法を変化させたときの、扉閉鎖装置３０作動時に発生するばね部４２ａ、ばね部４２ｂの取付部４３側端部付近の応力及びばね部４２ａ、ばね部４２ｂのバネ定数を示す。Ａ寸法が０ということは、ばね部４２ａ、ばね部４２ｂの展開形状が方形ということである。Ａ寸法が大きくなるに従って、円弧の曲率半径が小さくなる。尚、ここで示す内部発生応力及びバネ定数は、Ａ寸法が０のときを基準にした比率で表す。
【００４０】
図１１に示すように、Ａ寸法が１ｍｍ以下では、扉閉鎖装置３０作動時に発生するばね部４２ａ、ばね部４２ｂの取付部４３側端部付近の応力がばね材の破断応力より大きく、Ａ寸法が３．３ｍｍ以上では、板ばね４１のバネ定数が扉閉鎖に必要なバネ定数より小さくなる。従って、Ａ寸法を１ｍｍ〜３．３ｍｍの間にすれば、扉閉鎖に必要なバネ定数が得られるとともに、ばね部４２ａ、ばね部４２ｂの取付部４３側端部付近の応力集中による破断を抑制できる。
【００４１】
尚、以上の説明では、下ヒンジ２０に扉閉鎖装置３０を取り付ける例を説明したが、上ヒンジに扉閉鎖装置３０を取り付けてもよいし、下ヒンジ２０と上ヒンジの両方に扉閉鎖装置３０を取り付けてもよい。
【００４２】
以上のように、本実施の形態によれば、扉閉鎖装置３０の板ばね４１のばね部４２ａ、ばね部４２ｂに、所定の形状のくびれ部４７を形成することにより、扉閉鎖に必要なバネ定数を確保し、且つ扉閉鎖装置３０作動時に発生するばね部４２ａ、ばね部４２ｂの取付部４３側端部付近の応力集中を抑制することができる。
【図面の簡単な説明】
【００４３】
【図１】実施の形態１を示す図で、冷蔵庫の斜視図である。
【図２】実施の形態１を示す図で、図１の扉閉鎖装置３０と下ヒンジ２０等要部の構成を示す分解斜視図である。
【図３】実施の形態１を示す図で、扉閉鎖装置３０の分解斜視図である。
【図４】実施の形態１を示す図で、板ばね４１の斜視図である。
【図５】実施の形態１を示す図で、扉閉鎖装置３０を組立てた状態を示す側面図及びそのＡ−Ａ断面図である。
【図６】実施の形態１を示す図で、野菜室扉７の下キャップ７２に扉閉鎖装置３０を取付けた状態を示す上面図及びそのＢ−Ｂ断面図である。
【図７】実施の形態１を示す図で、扉閉鎖装置３０の作用説明図である。
【図８】実施の形態１を示す図で、扉閉鎖装置３０の作用説明図である。
【図９】実施の形態１を示す図で、扉閉鎖装置３０の作用説明図である。
【図１０】実施の形態１を示す図で、扉閉鎖装置３０作動時の板ばね４１の内部発生応力及びバネ定数を解析した結果を示す図である。
【図１１】実施の形態１を示す図で、扉閉鎖装置３０作動時の板ばね４１の内部発生応力及びバネ定数を解析した結果をグラフにした図である。
【符号の説明】
【００４４】
１  冷蔵庫本体、２  冷蔵室左扉、３  冷蔵室右扉、４  製氷室扉、５  温度帯切替室扉、６  冷凍室扉、７  野菜室扉、２０  下ヒンジ、２１  垂直片、２１ａ  ねじ挿通穴、２２  水平片、２３  係止段部、２４  軸、２５  溝、３０  扉閉鎖装置、３１  カム、３２ａ  大径部、３２ｂ  上小径部、３２ｃ  下小径部、３３ａ  凹溝、３３ｂ  凹溝、３３ｃ  傾斜面、３４  突部、３５ａ  ストッパ部、３５ｂ  ストッパ部、３６ａ  逃げ部、３６ｂ  逃げ部、４０  板ばね、４１  板ばね、４１ａ  係合部、４１ｂ  係合部、４２ａ  ばね部、４２ｂ  ばね部、４３  取付部、４４ａ  ねじ挿通穴、４４ｂ  ねじ挿通穴、４５  開口部、４６ａ  端面エッジ部、４６ｂ  端面エッジ部、４７  くびれ部、５０  ばね保持部材、５１ａ  垂直片、５１ｂ  上水平片、５１ｃ  下水平片、５２  軸受穴、５３ａ  ねじ穴、５３ｂ  ねじ穴、５３ｅ  ねじ挿通穴、５５  ベース部材、５６  周壁、５７  軸受穴、５８ａ  ねじ挿通穴、５８ｂ  ねじ挿通穴、５８ｃ  ねじ挿通穴、５９  位置決め突部、６０  ストッパー、６１  軸受穴、６２ａ  位置決め穴、６２ｂ  ねじ挿通穴、６３  係止突部、６５  補強板、６６  ねじ穴、７１  上キャップ、７２  下キャップ、７２ａ  溝部、７２ｂ  収容部、７３  外板、７４  内板、７５  マグネットガスケット、８０  ねじ、８１  ねじ、８２  ねじ、１００  冷蔵庫。
【図１】
2008075923.tif 000003
【図２】
2008075923.tif 000004
【図３】
2008075923.tif 000005
【図４】
2008075923.tif 000006
【図５】
2008075923.tif 000007
【図６】
2008075923.tif 000008
【図７】
2008075923.tif 000009
【図８】
2008075923.tif 000010
【図９】
2008075923.tif 000011
【図１０】
2008075923.tif 000012
【図１１】
2008075923.tif 000013